(57)【要約】    【課題】  縦向きにしても横向きにしても操作しやすく、しかも落下を確実に防止できるようにした携帯端末野ホルダーを提供する。    【解決手段】  携帯端末を手で持つときに携帯端末を手に保持させるホルダーにおいて、携帯端末(20,20')の掌が接する部分に取付けられる取付けベース(11,11')と、該取付けベース(11,11')に取付けられる取付けピン(12,12')と、該取付けピン(12,12')にピン回りに回転自在又は変形可能に取付けられ、指が差し込まれるリング(13,13')と、を備えたことを特徴とする。【選択図】  図１
2011035810.tif 000002
【特許請求の範囲】
【請求項１】
携帯端末を手で持つときに携帯端末を手に保持させるホルダーにおいて、
携帯端末(20,20')の掌が接する部分に取付けられる取付けベース(11,11')と、
該取付けベース(11,11')に取付けられる取付けピン(12,12')と、
該取付けピン(12,12')にピン回りに回転自在又は変形可能に取付けられ、指が差し込まれるリング(13,13')と、
を備えたことを特徴とする携帯端末のホルダー。
【請求項２】
上記携帯端末(20)が一体型の端末であり、上記取付けベース(11)が平坦な函状をなし、上記携帯端末(20)の背面から外嵌されるようになっている請求１記載の携帯端末のホルダー。
【請求項３】
上記携帯端末(20,20')が一体型、スライド型又は折り畳み型の端末であり、上記取付けベース(11') がプレート状をなし、上記携帯端末(20,20')の掌が接する部分に固着されるようになっている請求項１記載の携帯端末のホルダー。
【請求項４】
上記リング(13)が金属材料又は硬質の合成樹脂材料を用いて環状に製作され、上記取付けピンの回りに回転自在になっている請求項１記載の携帯端末のホルダー。
【請求項５】
上記リング(13') が軟質の合成樹脂材料を用いて環状に製作され、変形可能となっている請求項１記載の携帯端末のホルダー。
【発明の詳細な説明】
【技術分野】
【０００１】
この発明は携帯端末のホルダーに関し、特に携帯端末を誤って落とすことなく、しかも画面を縦横自由に変更できるようにしたホルダーに関する。
【背景技術】
【０００２】
最近、携帯電話や携帯端末（以下、単に携帯端末という）が飛躍的に普及している。この種の携帯端末ではケースがプラスチック材料で製造され、しかも外表面が平滑に形成されていることが多いが、平滑であるが故に、電話中やメールの操作中に携帯端末が誤って手から滑り落ち、アドレス帳や画像などの記憶データが損なわれることがあった。
【０００３】
従来、携帯端末の外表面を皮革や合成皮革製のカバーで覆い、手から滑り落ち難くすることが提案されている（特許文献１、特許文献２）。
【０００４】
また、ベースにリングを固定し、ベースを携帯電話に装着してリングを携帯電話の側面に突出させ、リングに指を差し込んでピストルのようにクルクルと回転させることができるようにしたホルダーが提案されている（特許文献３）。このホルダーもリングに指を差し込んで携帯電話を保持できるので、不意の落下を防止できる。
【０００５】
ところで、最近の携帯端末ではワンセグ機能やタッチパネル機能を搭載する傾向にあり、画面を縦向きにして使用するばかりでなく、横向きにして使用することもある。また、最近は片手で携帯端末を持ってその手で携帯端末のキーボードを操作することが多くなってきた。
【先行技術文献】
【特許文献】
【０００６】
【特許文献１】特開２００７−２８２７０２号公報
【特許文献２】特開２０００−２９５３２９号公報
【特許文献３】特開平１１−１６８５３９号公報
【発明の開示】
【発明が解決しようとする課題】
【０００７】
しかし、特許文献１、２記載の皮革又は合成皮革製のカバーでは画面を縦向きにしたり横向きにしたりして操作しているとき、あるいは縦向き又は横向きの携帯端末を手にもってタッチパネルを操作しているとき、携帯端末で手から離れやすく、落下しやすい。
【０００８】
また、特許文献３記載のホルダーではリングに指を差し込んでいるので、携帯端末を落下し難いものの、リングか携帯端末の側面にあるので、携帯端末を横向きにすると、非常に操作し難い。
【０００９】
本発明はかかる問題点に鑑み、縦向きにしても横向きにしても操作しやすく、しかも落下を確実に防止できるようにした携帯端末のホルダーを提供することを課題とする。
【課題を解決するための手段】
【００１０】
そこで、本発明に係る携帯端末のホルダーは、携帯端末を手で持つときに携帯端末を手に保持させるホルダーにおいて、携帯端末の掌が接する部分に取付けられる取付けベースと、該取付けベースに取付けられる取付けピンと、該取付けピンにピン回りに回転自在又は変形可能に取付けられ、指が差し込まれるリングと、を備えたことを特徴とする。
【００１１】
本発明の特徴の１つは携帯端末の背面にリングを回転自在に設けるか又は変形可能なリングを設けるようにした点にある。
【００１２】
これにより、携帯端末を縦向きにしたり横向きにしたりしても、手を不自然な形にしなくとも携帯端末を持つことができ、携帯端末の優れた操作性、例えば片手による操作性が損なわれることがない。
【００１３】
また、指をリングに差し込んで携帯端末を保持するようにしているので、操作中に誤って手が携帯端末から離れても、又手をひらいても、携帯端末は指に引っ掛かっており、落下するのを確実に防止できる。
【００１４】
取付けベースは携帯端末の掌が接する部分に取付けられることができれば、その形態は特に限定されず、例えば外嵌めタイプのカバーや固着可能なプレートを採用することができる。
【００１５】
すなわち、携帯端末を一体型の端末としたとき、取付けベースは平坦な函状をなし、携帯端末の背面から外嵌されるように構成することができる。
【００１６】
また、取付けベースをプレート状となし、携帯端末の掌が接する部分に固着（粘着剤による粘着を含む）されるように構成されることができる。この場合、携帯端末は一体型、スライド型又は折り畳み型のいずれの端末であってもよい。
【００１７】
また、リングを金属材料又は硬質の合成樹脂材料を用いて環状に製作し、取付けピンの回りに回転自在に取付けるようにすることができる。
【００１８】
また、リングを軟質の合成樹脂材料を用いて環状に製作し、変形可能とすることもできる。
【図面の簡単な説明】
【００１９】
【図１】本発明に係る携帯端末のホルダーの好ましい実施形態を示す概略斜視図である。
【図２】上記実施形態の使用の１例を示す要部斜視図である。
【図３】使用の他の例を示す概略斜視図である。
【図４】第２の実施形態を示す斜視図である。
【図５】上記実施形態の使用の１例を示す要部斜視図である。
【図６】使用の他の例を示す概略斜視図である。
【図７】第３の実施形態を示す斜視図である。
【発明を実施するための形態】
【００２０】
以下、本発明を図面に示す具体例に基づいて詳細に説明する。図１ないし図３は本発明に係る携帯端末のホルダーの好ましい実施形態を示す。図において、形態端末２０は一体型をなし、携帯端末２０の背面にはカバー（取付けベース）１１が外嵌されている。
【００２１】
このカバー１１は平坦な函状をなし、合成樹脂材料を用いて製造され、その外表面には薄い合成皮革が貼着されている。このカバー１１の中央には挿通孔が穿設され、挿通孔には金属製又は合成樹脂製の取付けピン１２が挿通されて座金１２Ａによって回転自在に取付けられている。
【００２２】
また、取付けピン１２には指を差し込み得る大きさの金属製又は硬質合成樹脂製のリング１３が取付けらされ、リング１３は携帯端末２０に対して回転自在になっている。
【００２３】
携帯端末２０を縦向きにして使用する場合、図２に示されるように、リング１３に指、例えば人指し指を差し込むとともに、携帯端末２０の背面から手で持つ。
【００２４】
また、携帯端末２０を横向きにして使用する場合、図３に示されるように、リング１３に人指し指を差し込んだままて携帯端末２０を横向きにして手で持てばよい。
【００２５】
このように、携帯端末２０を縦向きにしたり横向きにしたりして持ち方を自由に変えることができるが、リング１３に指を差し込んで引っ掛けているので、携帯端末２０が手から落ちることはない。
【００２６】
しかも、図２及び図３に示されるように、手は自然な形で携帯端末２０を把持しており、携帯端末２０の優れた操作性が損なわれることもない。
【００２７】
図４ないし図６は第２の実施形態を示す。図において図１ないし図３と同一符号は同一又は相当部分を示す。但し、本例では番号に  ’を付して第１の実施形態と区別するようにしている。
【００２８】
本例では取付けベース１１’を四角形プレート状に製作し、取付けベース１１’を携帯端末２０’の背面に接着剤で固着し又は粘着剤で粘着するようにしている。また、携帯端末２０’はスライド式の端末であり、スライドされた半部が縦向きから横向きに回転できるようになっている。
【００２９】
このように、取付けベース１１’は平坦な函形ではなく、プレート状としてもよい。なお、このタイプのホルダーは第１の実施形態における一体型の携帯端末２０や折り畳み型の携帯端末にも適用できる。
【００３０】
図７は第３の実施形態を示し、図において図４と同一符号は同一又は相当部分を示す。本例では軟質の合成樹脂材料を用いてストライプ状に製作され、リング状に折り曲げ、取付けピン１２’によって取付けベース１３’に対して４５°の角度をなすように取付けられている。
【００３１】
本例のホルダーではリング１３’に人指し指を差し込み、携帯端末２０又は２０’を縦向きや横向きにすると、人指し指を差し込んだリング１３’が自由に変形するので、手を不自然な形にすることなく携帯端末２０又は２０’を持つことができる。
【００３２】
しかも、リング１３’に人指し指が引っ掛かっているので、携帯端末２０又は２０’が不意に落ちることはない。
【符号の説明】
【００３３】
１０，１０’，１０”      ホルダー
１１，１１’              取付けベース
１２，１２’              取付けピン
１３，１３’              リング
２０，２０’              携帯端末
【図１】
2011035810.tif 000003
【図２】
2011035810.tif 000004
【図３】
2011035810.tif 000005
【図４】
2011035810.tif 000006
【図５】
2011035810.tif 000007
【図６】
2011035810.tif 000008
【図７】
2011035810.tif 000009